(57)【特許請求の範囲】
【請求項１】
土を踏む底面が一体形成された履物の本底であって、
前記底面は、
足の中足趾節関節部と母趾部とに対応する部位を少なくとも含んで軟質材料を用いて形成された軟質領域と、
前記底面の先端の略中央から母趾部に隣接する第２末節骨及び第２中節骨付近まで略直線状に延ばされ、且つ、前記第２中節骨付近から屈曲して小指の第５中節骨先端付近を通って外側端に至るように形成された略Ｌ字状溝と、
前記略Ｌ字状溝と、前記底面の先端の略中央から前記外側端との間に形成された先端領域内に、硬質材料を用いて形成された滑り止め領域と、
を備えたことを特徴とする履物の本底。
【請求項２】
前記滑り止め領域を含む前記先端領域は、前記硬質材料を用いて形成された硬質領域であることを特徴とする請求項１記載の履物の本底。
【請求項３】
前記軟質領域は、
前記母趾部の近傍で前記底面の内側側端から前記底面の中間部位に向かって設けられた近位母趾屈曲誘導溝と、
前記近位母趾屈曲誘導溝よりも前方で前記底面の内側側端側に設けられた遠位母趾屈曲誘導溝と、
前記中足趾節関節部の近傍で前記底面の中間部位から前記底面の外側側端に向かって設けられた近位中足趾節関節屈曲誘導溝と、
前記近位中足趾節関節屈曲誘導溝よりも前方で前記底面の外側側端側に設けられた遠位中足趾節関節屈曲誘導溝と、
を有することを特徴とする請求項１又は請求項２記載の履物の本底。
【請求項４】
前記軟質領域は、第２中足骨頭部と第３中足骨頭部とに対応する部位に前後方向を卵形状に窪ませて地面に接しないように設けられた除圧部を有することを特徴とする請求項１〜請求項３のいずれか１項記載の履物の本底。
【請求項５】
土を踏む底面が一体形成された本底を備えた履物であって、
前記底面は、
足の中足趾節関節部と母趾部とに対応する部位を少なくとも含んで軟質材料を用いて形成された軟質領域と、
前記底面の先端の略中央から母趾部に隣接する第２末節骨及び第２中節骨付近まで略直線状に延ばされ、且つ、前記第２中節骨付近から屈曲して小指の第５中節骨先端付近を通って外側端に至るように形成された略Ｌ字状溝と、
前記略Ｌ字状溝と、前記底面の先端の略中央から前記外側端との間に形成された先端領域内に、硬質材料を用いて形成された滑り止め領域と、
を備えたことを特徴とする履物。
【請求項６】
ヒールの高さが３ｃｍ以上であることを特徴とする請求項５記載の履物。
【発明の詳細な説明】
【技術分野】
【０００１】
本発明は、歩行しやすいように硬質と軟質の材料を組み合わせた履物の本底、及び該本底を備えた履物に関する。
【背景技術】
【０００２】
履物の歩行しやすさは、中足趾節関節部に対応する部位の屈曲性に依存するが、例えば特許文献１に記載された履物では、中敷きの母趾部に対応する部位に軟質材料、第２乃至第５趾部に対応する部位に硬質材料を用いて運動性を良好にしている。
【０００３】
また、特許文献２に記載された履物の本底では、硬質材料と軟質材料を上下二層を成すように組み合わせて爪先が屈曲しやすいようにしている。
【０００４】
さらに、特許文献３に記載された履物では、底面に第２趾部の付け根部分から第５趾部の付け根部分に沿って略Ｌ字形の溝を延設し、さらに底面における土踏まずの前縁に対応する部位に安定区域を形成するための横方向に延びる溝を設けることにより、前足部の屈曲性の向上を図っている。
【特許文献１】特開平０２−１１４９０４号公報
【特許文献２】実公平０２−２３１２６号公報
【特許文献３】実登平０５−４７２４号公報
【発明の開示】
【発明が解決しようとする課題】
【０００５】
歩行時における中足趾節関節部の運動は、踵接地時に軽度背屈、足底接地時に中間位、踏み切り時に最大背屈するのが生理的であるが、この底屈背屈運動をできる限り阻害しない履物が理想的である。
【０００６】
スポーツ用の靴では、本底の中足趾節関節部が屈曲しやすいように、本底の全体または一部に軟質材料を用いたものが存在するが、例えば高さ３ｃｍ以上のヒールを備えた婦人用パンプス靴（以下、パンプスと記す）のようなヒールの高い履物では見当たらない。これは、本底の中足趾節関節部が屈曲しやすいという機能性よりも美的外観を優先していることによる。
【０００７】
従来、例えばパンプスのようなヒールの高い履物は、中足趾節関節を屈曲しやすくして歩行に適するように設計されておらず、ファッションの一部として見せるためのものありながら、実際には、様々な場面で使用され、中足趾節関節部が屈曲しづらいため、踵が脱け出たり、運動力伝達効率が悪くて疲れやすい等の問題が生じていた。
【０００８】
本発明は上記事情に鑑みて創案されたものであり、その目的は、歩きやすく且つ疲れにくく、特にヒールの高い履物に適用すると有効な本底及び該本底を備えた履物を提供することにある。
【課題を解決するための手段】
【０００９】
上記目的を達成するために、請求項１記載の発明は、土を踏む底面が一体形成された履物の本底であって、
前記底面は、
足の中足趾節関節部と母趾部とに対応する部位を少なくとも含んで軟質材料を用いて形成された軟質領域と、
前記底面の先端の略中央から母趾部に隣接する第２末節骨及び第２中節骨付近まで略直線状に延ばされ、且つ、前記第２中節骨付近から屈曲して小指の第５中節骨先端付近を通って外側端に至るように形成された略Ｌ字状溝と、
前記略Ｌ字状溝と、前記底面の先端の略中央から前記外側端との間に形成された先端領域内に、硬質材料を用いて形成された滑り止め領域と、
を備えたことを特徴とする履物の本底である。
また、請求項２記載の発明は、上記した請求項１記載の履物の本底において、
前記滑り止め領域を含む前記先端領域は、前記硬質材料を用いて形成された硬質領域であることを特徴とする履物の本底である。
【００１０】
また、請求項３記載の発明は、上記した請求項１又は請求項２記載の履物の本底において、
前記軟質領域は、
前記母趾部の近傍で前記底面の内側側端から前記底面の中間部位に向かって設けられた近位母趾屈曲誘導溝と、
前記近位母趾屈曲誘導溝よりも前方で前記底面の内側側端側に設けられた遠位母趾屈曲誘導溝と、
前記中足趾節関節部の近傍で前記底面の中間部位から前記底面の外側側端に向かって設けられた近位中足趾節関節屈曲誘導溝と、
前記近位中足趾節関節屈曲誘導溝よりも前方で前記底面の外側側端側に設けられた遠位中足趾節関節屈曲誘導溝と、
を有することを特徴とする履物の本底である。
【００１１】
また、請求項４記載の発明は、上記した請求項１〜請求項３のいずれか１項記載の履物の本底において、
前記軟質領域は、第２中足骨頭部と第３中足骨頭部とに対応する部位に前後方向を卵形状に窪ませて地面に接しないように設けられた除圧部を有することを特徴とする履物の本底である。
【００１２】
また、請求項５記載の発明は、土を踏む底面が一体形成された本底を備えた履物であって、
前記底面は、
足の中足趾節関節部と母趾部とに対応する部位を少なくとも含んで軟質材料を用いて形成された軟質領域と、
前記底面の先端の略中央から母趾部に隣接する第２末節骨及び第２中節骨付近まで略直線状に延ばされ、且つ、前記第２中節骨付近から屈曲して小指の第５中節骨先端付近を通って外側端に至るように形成された略Ｌ字状溝と、
前記略Ｌ字状溝と、前記底面の先端の略中央から前記外側端との間に形成された先端領域内に、硬質材料を用いて形成された滑り止め領域と、
を備えたことを特徴とする履物である。
更に、請求項６記載の発明は、上記した請求項５記載の履物において、
ヒールの高さが３ｃｍ以上であることを特徴とする履物である。
【発明の効果】
【００１３】
請求項１記載の履物の本底によれば、本底の底面は、足の中足趾節関節部と母趾部とに対応する部位を少なくとも含んで軟質材料を用いて軟質領域が形成されることにより、中足趾節関節部と母趾部とが屈曲しやすく、歩行時の主たる推進力である母趾屈曲力の伝達効率が良い。また、本底の底面は、軟質領域中の母趾部側方よりも外側の先端領域内に、硬質材料を用いて滑り止め領域が形成されることによって、歩行時に滑り防止が図れると共に、歩行時の側方動揺を中心へと収束させることができ、これにより歩行速度が上がっても歩き易く、疲れにくい。
また、請求項２記載の履物の本底によれば、請求項１記載の履物の本底において、滑り止め領域を含む先端領域は、硬質材料を用いて形成された硬質領域であるので、請求項１に記載した効果に加えて硬質領域により歩行時の側方動揺を中心へとより一層確実に収束させることができる。
【００１４】
また、請求項３記載の履物の本底によれば、歩行時に中足趾節関節部が生理的屈曲方向へ補助誘導されるように軟質領域内に、近位母趾屈曲誘導溝と、遠位母趾屈曲誘導溝と、近位中足趾節関節屈曲誘導溝と、遠位中足趾節関節屈曲誘導溝とを設けることにより、踏み切り時に中足趾節関節部が屈曲しやすくなり、歩行推進力の伝達効率が向上するためにエネルギー効率が良くなり、歩行速度が上がっても、より歩きやすく疲れにくくなる。また、軟質領域が屈曲しやすいことにより、歩行時に踵が脱げにくくなる。
【００１５】
また、請求項４記載の履物の本底によれば、軟質領域は、第２中足骨頭部と第３中足骨頭部とに対応する部位に除圧部が前後方向を卵形状に窪ませて地面に接しないように設けられることにより、第２，第３中足骨頭部と対応する部位のみに対して除圧できるので、体重負荷に対する地面からの反作用としての圧力が第２中足骨頭部と第３中足骨頭部とに集中しなくなるため、胼胝を生じにくくするとともに、従来の履物を長期間使用することによって既に生じている胼胝を改善することができ、これに伴う疼痛を軽減させることができる。
【００１６】
また、請求項５記載の履物によれば、上記した請求項１記載の本底を備えているので、歩行時における足の生理的な運動を阻害せず、歩行速度が上昇しても歩きやすく、疲れにくい。
【００１７】
また、請求項６記載の履物によれば、上記した請求項５記載の発明の履物において、ヒールの高さが３ｃｍ以上であるので、上記した請求項５記載の効果が顕著となる。
【発明を実施するための最良の形態】
【００１８】
以下、本発明の第１の実施形態を図面に基づいて説明する。図１は本発明の第１の実施形態である靴の本底（左足用）の底面図、図２は第１の実施形態の作用効果の説明図であり、左足の底面から見た骨格及びＣＯＰ軌跡、図３は図１の本底と左足の骨格との位置関係を示す図、図４は図１の本底を使用したパンプスを斜め下方から見た斜視図である。
【００１９】
図２によれば、通常の歩行速度において、足部が接地して踏み切るまでの間、足底圧力中心（Center Of Pressure、以下ＣＯＰと記す）の軌跡は、矢印９のように踵部から足部外側を通り、足幅を外側から内側へと横切るように進んで母趾部１２の先端とへ移動し、歩行速度が上昇するにしたがってＣＯＰの軌跡は次第に中心部側へ収束し、矢印１０のようになる。
【００２０】
エネルギー効率の良い歩行とは、足の底面から垂直上方に向けて身長の約５５％の高さの位置にある重心点の移動範囲が小さいことであり、足部においてはＣＯＰ軌跡の横方向移動が中心側に収束することにより達せられる。このため歩行速度が上昇すると、エネルギー効率を良くしようとＣＯＰが矢印１０の方向に変化するために、下肢の筋は通常歩行速度よりも筋負担が増加して疲労度が増す。
【００２１】
さらに本底の外側が軟質材料であったり、摩耗している場合は、ＣＯＰ軌跡を中心に収束させにくいため、さらに下肢の筋負担が増加して疲労度が増すことになる。
【００２２】
そこで、前足部の外側部分に硬質材料を用いて、踏み切り時におけるＣＯＰの側方動揺を抑制することにより、ＣＯＰ軌跡を中心部側に収束させ、歩行速度が上昇した場合にエネルギー効率の良い歩行を得ることができる。
【００２３】
また踏み切り時には中足趾節関節部１１より後方は接地しておらず、接地している前足部の中でも主として母趾部１２の底屈力が歩行の推進力となる。図３を参照して、この際の屈曲部である中足趾節関節部１１及び母趾部１２に対応する部位が屈曲しやすければ運動伝達効率がよいので、中足趾節関節部１１及び母趾部１２に対応する部位に軟質材料を用いることによって、踏み切りを行う母趾屈曲力の伝達を良好に行うことができる。
【００２４】
以上の効果を得るために、図１乃至図３に示すように、上記軟質材料から成る部位１（以下、軟質部と記す）は、硬度６５乃至７５程度の軟質材料を用い、中足趾節関節部１１と母趾部１２の屈曲を容易にするために略Ｌ字形にしてその範囲をカバーする形状としている。なお、その表面は滑り止めのためにエンボス加工等をしてもよい。
【００２５】
軟質部１には、深さ０．５乃至１ｍｍ程度の近位中足趾節関節屈曲誘導溝４及び遠位中足趾節関節屈曲誘導溝５を設けて、中足趾節関節部１１の屈曲を補助誘導する。また、深さ０．５乃至１ｍｍ程度の近位母趾屈曲誘導溝６及び遠位母趾屈曲誘導溝７を設けて、母趾部１２の屈曲を補助誘導する。
【００２６】
母趾部１２の外側部分、すなわち滑り止め部２及びその外側の部位３（以下、外側硬質部と記す）は硬度７５乃至８５程度の硬質材料を用いて、歩行時のＣＯＰが外側に流れずに中心部側へ収束するように誘導させる。なお、歩行時の滑り防止の目的により、滑り止め部２には厚さ０．５乃至１ｍｍ程度の突起模様を設けるのが良い。また、軟質部１よりも後方の部位８（以下、後方硬質部と記す）についても滑り止め部２と同様の硬質材料を用いる。
【００２７】
軟質部１、滑り止め部２、外側硬質部３、及び後方硬質部８の素材は、ゴム、発泡ラテックスなど、靴の本底に通常用いられている素材で良い。
【００２８】
これら軟質部1、滑り止め部２、外側硬質部３、及び後方硬質部８は、一体形成されることが、強度及び外観上好ましい。
【００２９】
本発明の本底は、板状で一様の厚みを持ち、パンプス用には３乃至５ｍｍ程度、婦人用カジュアルシューズもしくは紳士靴用には５乃至１５ｍｍ程度の厚さとするのが好ましい。
【００３０】
図４に示したパンプスは、図３のように、本底の近位中足趾節関節屈曲誘導溝４及び遠位中足趾節関節屈曲誘導溝５が、中足趾節関節部１１を挟み込む位置に、また近位母趾屈曲誘導溝６及び遠位母趾屈曲誘導溝７が母趾部１２の位置に設定される履物であるため、履物のサイズに応じて本底の大きさも適切に増減させることが必要である。
【００３１】
このパンプスを着用して歩行すると、本底の近位中足趾節関節屈曲誘導溝４及び遠位中足趾節関節屈曲誘導溝５が、中足趾節関節部１１を挟み込むようにして、中足趾節関節部１１の屈曲を補助誘導し、また近位母趾屈曲誘導溝６及び遠位母趾屈曲誘導溝７が母趾部１２の屈曲を補助誘導するため、歩きやすく疲れにくい。
【００３２】
次に、本発明の第２の実施形態を説明する。図５は第２の実施形態である靴の本底（左足用）の底面図、図６は図５の本底に設けた除圧部と左足の骨格との位置関係を示す図である。
【００３３】
図５に示すように、本実施形態では、第２中足骨頭部１３（図６参照）及び第３中足骨頭部１４（図６参照）に対応する部位に、深さ１乃至３ｍｍ程度の窪み状の除圧部１ａを設けている。
【００３４】
例えばパンプスのように前足部よりも踵部の方が高くなっていると、体重負荷は前足部に集中して足骨格を保持する横アーチが消失し、本来体重を受ける骨形態になっていない第２中足骨頭部１３と第３中足骨頭部１４に圧力が集中するので、生体防御反応として当該部位に胼胝を生じ、疼痛の発生や歩きにくくなるといった問題がある。
【００３５】
このため第２中足骨頭部１３と第３中足骨頭部１４において、体重負荷に対する地面からの反作用としての圧力を集中させないため、除圧部１ａを設けて地面に接しないようにして当該部分を除圧すると、胼胝を生じにくくするばかりか、従来の履物を長期間使用することによって既に生じている胼胝を改善することができ、これに伴う疼痛を軽減させることができる。
【００３６】
なお、上記実施形態では、先端部が尖った形状の本底及び履物を例に挙げて説明したが、先端部に丸みを持たせたり、あるいは先端部が幅広のもの等、いかなる形状のものにも本発明を適用することができる。その他にも、本発明の要旨を逸脱しない範囲で上記実施形態に種々の改変を施すことができる。
【図面の簡単な説明】
【００３７】
【図１】本発明の第１の実施形態である靴の本底（左足用）の底面図である。
【図２】第１の実施形態の作用効果の説明図であり、左足の底面から見た骨格及び方向時のＣＯＰ軌跡である。
【図３】図１の本底と左足の骨格との位置関係を示す図である。
【図４】図１の本底を使用したパンプスの斜め下方から見た斜視図である。
【図５】本発明の第２の実施形態である靴の本底（左足用）の底面図である。
【図６】図５の本底に設けた除圧部と左足の骨格との位置関係を示す図である。
【符号の説明】
【００３８】
１    軟質部
１ａ  除圧部
２    滑り止め部
３    外側硬質部
４    近位中足趾節関節屈曲誘導溝
５    遠位中足趾節関節屈曲誘導溝
６    近位母趾屈曲誘導溝
７    遠位母趾屈曲誘導溝
８    後方硬質部
１１    中足趾節関節部
１２    母趾部
１３    第２中足骨頭部
１４    第３中足骨頭部
【図１】
0004592429.tif 000002
【図２】
0004592429.tif 000003
【図３】
0004592429.tif 000004
【図４】
0004592429.tif 000005
【図５】
0004592429.tif 000006
【図６】
0004592429.tif 000007